(57)【要約】【課題】  寿命を長くでき保守作業を無くすことが可能になり、常に視認性を良くすることが可能になる計量機の給油量表示器を提供する。【解決手段】  複数の発光素子４３をマトリックス状等に配列した表示器２１であって、その表示素子４３を高輝度ＬＥＤとする。表示器２１の近傍に配置した外光センサ２２で外光の明るさを検知し、その検知した明るさに応じて発光素子４３の発光強度を変化させる。発光素子４３は、油種に対応させて予め決められた複数の発光色を有するものとする。表示器２１には、角度調整操作部２３の操作に対応して表示面を傾斜させる傾斜手段を設ける。表示器２１は、発光素子４３の前面に光を拡散する拡散板４４を設ける。【選択図】      図１
2006290377.tif 000002
【特許請求の範囲】
【請求項１】
複数の発光素子を配列した表示器を有することを特徴とする計量機の給油量表示器。
【請求項２】
前記発光素子は、高輝度ＬＥＤであることを特徴とする請求項１記載の計量機の給油量表示器。
【請求項３】
前記発光素子は、油種に対応させて予め決められた複数の発光色を有するものであることを特徴とする請求項１又は２記載の計量機の給油量表示器。
【請求項４】
前記表示器には、角度調整操作部の操作に対応して表示面を傾斜させる傾斜手段が設けられていることを特徴とする請求項１記載の計量機の給油量表示器。
【請求項５】
前記表示器は、前記発光素子の前面に光を拡散する拡散板が設けられていることを特徴とする請求項１記載の計量機の給油量表示器。
【請求項６】
前記表示器の近傍には、外光の明るさを検知する外光センサが設けられ、この外光センサで検知された明るさに応じて前記発光素子の発光強度を変化させることを特徴とする請求項１記載の計量機の給油量表示器。
【発明の詳細な説明】
【技術分野】
【０００１】
本発明は、給油所において自動車等に供給する燃料油の給油量を表示する計量機の給油量表示器に関するものである。
【背景技術】
【０００２】
一般的に給油所に設置されている燃料油を供給する計量機には、給油量を表示するための給油量表示器が設けられている。例えば、計量機のうち地上固定式のものでは、給油所の敷地に設けられたアイランド上に本体ケースが設置され、この本体ケースの上部側の表示部ケースに給油量表示器が設けられている。この給油量表示器としては、各種のものが使用されているが、最近では液晶表示器が使用されている。本出願人は、透過型液晶表示パネルの背面側に光を拡散する拡散板及び光を透過する着色板を配置し、その着色板の背面側にバックライト照明を配置した計量機の表示装置に関する技術を開示している（例えば、特許文献１参照。）。
【特許文献１】特開２００１−２４２７９８号公報（第２〜３ページ、図１〜４）。
【発明の開示】
【発明が解決しようとする課題】
【０００３】
従来の液晶表示器は、液晶の表示素子が自発光でないため、夜間において使用できるようバックライト等の照明を設けているが、このバックライトの寿命が短く、その交換等のために煩雑で専門知識を必要とする保守作業が要求されるおそれがあった。また、従来の液晶表示器では、屋外において太陽光が当たっているとき等には、見難くなることがあった。
【０００４】
本発明は上記事情に鑑みなされたもので、寿命を長くでき保守作業を無くすことが可能になり、昼夜に変わらず見易くできる計量機の給油量表示器を提供することを目的とする。
【課題を解決するための手段】
【０００５】
上記目的を達成するために請求項１に記載の発明にあっては、複数の発光素子を配列した表示器を有することを特徴とするものである。表示器を複数の発光素子を配列したものとしたことで、視認性の高い表示が可能となる。
【０００６】
請求項２に記載の発明にあっては、前記発光素子は、高輝度ＬＥＤであることを特徴とするものである。発光素子を高輝度ＬＥＤとすることで、寿命が長くなり保守作業を無くすことが可能になり、消費電力も小さくすることができる。        
【０００７】
請求項３に記載の発明にあっては、前記発光素子は、油種に対応させて予め決められた複数の発光色を有するものであることを特徴とするものである。発光素子を油種に対応させて発光させることで、混油を防止することができる。
【０００８】
請求項４に記載の発明にあっては、前記表示器には、角度調整操作部の操作に対応して表示面を傾斜させる傾斜手段が設けられていることを特徴とするものである。表示器の表示面を角度調整操作部を操作することで傾斜手段により傾斜できるため、給油位置に関わらず視認性を向上させることができる。
【０００９】
請求項５に記載の発明にあっては、前記表示器は、前記発光素子の前面に光を拡散する拡散板が設けられていることを特徴とするものである。発光素子の前面に設け拡散板により連続した線として文字を表示することができる。
【００１０】
請求項６に記載の発明にあっては、前記表示器の近傍には、外光の明るさを検知する外光センサが設けられ、この外光センサで検知された明るさに応じて前記発光素子の発光強度を変化させることを特徴とするものである。外光センサにより外光の明るさを検知し、発光素子の発光強度を変化させることで、明るいときには発光強度を高くすることで常に視認性を良くすることが可能になる。
【発明の効果】
【００１１】
本発明では、複数の発光素子を配列した表示器であって、その表示素子を高輝度ＬＥＤとすることで、寿命を長くでき保守作業を無くすことが可能になり、また、外光の明るさを検知する外光センサで検知した明るさに応じて発光素子の発光強度を変化させることで、常に視認性を良くすることが可能になる。
【発明を実施するための最良の形態】
【００１２】
以下、本発明を図示の一実施形態により具体的に説明する。図１〜図４は本発明第１実施形態の地上固定式の計量機を説明する図であり、図１は計量機の正面図、図２は計量機の表示器部分の斜視図、図３は計量機の表示器本体の断面図、図４は計量機の給油量表示器の動作を説明するブロック図である。
【００１３】
これらの図において、本第１実施形態の計量機１０は、例えば、レギュラーガソリン、ハイオクガソリン及び軽油のいずれかの油種を給油する地上固定式の給油装置であり、給油所の敷地のアイランド上に本体ケース１１が立設される。この本体ケース１１内には、それぞれの油種の給油機構を構成する給油ポンプや流量計２８等が収納されている。本体ケース１１は、ベースプレート１２の上部に配置された給油機構を収納する機器ケース１３と、その上部に配置された表示器ケース１４と、機器ケース１３及び表示器ケース１４の左右に設けられた支柱１５，１５と、支柱１５，１５の上端部間に設けられた頂部ケース１６等とから構成されている。頂部ケース１６には、先端部にそれぞれ給油ノズル１８を接続した給油ホース１７が給油機構に連通するよう吊り下げられている。給油ノズル１８は、機器ケース１３の正面側に設けられたノズル掛け１９にそれぞれ掛けられるようになっている。また、給油ノズル１８は、その表面が油種に対応して、例えば、レギュラーガソリンが赤、ハイオクガソリンが黄、軽油が緑のように着色されており、後に詳細に説明するように表示器で表示される色に対応している。ノズル掛け１９の近傍には、給油ノズル１８の掛け外しを検知するノズルスイッチ２０が設けられている。
【００１４】
表示器ケース１４の正面側には、ほぼ中央部に後に詳細に説明する表示器２１が設けられ、その下部側に外光強度を検知する外光センサ２２、及び表示器２１の表地面の傾斜角度を見易く調整する角度調整操作部２３が設けられ、この表示器２１に近接した部分に給油時に油種や給油量等を設定するための設定操作部２４が設けられ、その下部側に給油料金を支払うときの紙幣読取機の挿入口２５、カードリーダー２６及び給油終了後に印字される給油伝票の取出し口２７が設けられている。また、表示器ケース１４内には、ノズルスイッチ２０、流量計２８、角度調整操作部２３及び外光センサ２２等からの信号を受信して表示器２１を制御する制御装置３０が設けられている。
【００１５】
表示器２１は、図２に示すように、複数の発光素子をマトリックス状に配置して給油量等を表示する表示器本体３１と、この表示器本体３１の背面側及び左右側面側の周囲を所定の隙間を設けてほぼコ字型に囲う形状に形成されるとともに、表示器本体３１のほぼ中央の水平軸を中心に垂直な表示面を前後にやや傾斜可能に取付けた第１のブラケット３２と、この第１のブラケット３２に対して表示器本体３１の表示面を前後方向に傾斜させる第１の傾斜手段４６と、第１のブラケット３２の背面側及び表示器本体３１の上下面側の周囲を所定の隙間を設けてほぼコ字型に囲う形状に形成されるとともに、第１のブラケット３２のほぼ中央の垂直軸を中心に表示器本体３１の表示面を左右にやや傾斜可能に取付け、かつ表示器ケース１４の正面側に設けられた第２のブラケット３３と、この第２のブラケット３３に対して第１のブラケット３２を左右方向に傾斜させる第２の傾斜手段４７とを有する。
【００１６】
第１の傾斜手段４６は、第１のブラケット３２の側面に設けられ第１のモータ３４と、この第１のモータ３４の出力軸に取付けられた歯車３５と、この歯車３５に噛合う歯車３６と、この歯車３６を一端部側に取付け他端部側が第１のブラケット３２の側面に形成された孔を通して表示器本体３１の側面の水平軸に固定された軸３７とを有する。この第１の傾斜手段４６は、制御装置３０からの制御信号により第１のモータ３４が駆動され、第１のブラケット３２に取付けられた表示器本体３１の垂直な表示面を前後にやや傾斜させる動作をする。第２の傾斜手段４７は、第２のブラケット３２の上面に設けられ第２のモータ３８と、この第２のモータ３８の出力軸に取付けられた歯車３９と、この歯車３９に噛合う歯車４０と、この歯車４０を一端部側に取付け他端部側が第２のブラケット３３の側面に形成された孔を通して表示器本体３１の側面の垂直軸に固定された軸４１とを有する。この第２の傾斜手段４７は、制御装置３０からの制御信号により第２のモータ３８が駆動され、第２のブラケット３３を介して第１のブラケット３２に取付けられた表示器本体３１の表示面を左右にやや傾斜させる動作をする。
【００１７】
表示器本体３１は、、図３に示すように、取付け基板４２上に配列された複数の高輝度ＬＥＤからなる発光素子４３と、この発光素子４３側に配置された光を拡散させる拡散板４４と、この拡散板４４の表面に設けられた光を透過させるフィルター４５とを有する。発光素子４３は、例えば、赤色、黄色及び緑色に発色する３つの高輝度ＬＥＤを１組として給油量を表示するための文字を構成するようマトリックス状に配置されているものである。拡散板４４は、透明な材料のアクリルあるいはガラス等の板材であり、発光素子４３に対向する表面に光を拡散する切込みが形成されたものであり、隣接する発光素子４３からの光が拡散して連続して見える働きを有するものである。フィルター４５は、発光素子４３である高輝度ＬＥＤから発光する赤色、黄色及び緑色の光を透過し易い性質を有するものである。
【００１８】
次に、上記構成の表示器２１の動作を説明する。まず、レギュラーガソリン、ハイオクガソリンまたは軽油のいずれかの油種を給油するときに、対応する油種の給油ノズル１８をノズル掛け１９から外してノズルスイッチ２０がオンすると、その信号が制御装置３０に伝達され、この制御装置３０により油種に対応した発光素子４３の赤色、黄色あるいは緑色に発色する高輝度ＬＥＤのいずれかが発色可能となる。また、給油する位置に対応して表示器２１が見難いときには、角度調整操作部２３を操作することで、その操作信号が制御装置３０に伝達され、この制御信号３０により第１または第２の傾斜手段４６，４７のモータ３４，３８が駆動され、表示器本体３１の表示面を前後あるいは左右方向に傾斜角度を見易く調整することができる。続いて、給油が行われ流量計２８からの信号が制御装置３０に伝達されると、表示器２１の対応した油種の高輝度ＬＥＤの発光素子４３が発色して流量表示が行われる。この表示器２１は、その表示器本体３１の赤色、黄色あるいは緑色に発色する高輝度ＬＥＤの表示素子４３の発光が、拡散板４４により拡散されて表示される文字が連続した線状にし、かつフィルター４５により高輝度ＬＥＤから発光する赤色、黄色あるいは緑色の光を透過して見易くなる。また、表示器２１が屋外で太陽光が当たっている場合等では、その表示器２１の近傍に設けられた外光センサ２２により検知された外光の明るさに関する検知信号が制御装置３０に伝達され、この制御装置３０により発光素子４３の発光強度が高くなるように制御することで視認性を高めて見易くし、さらに夜間等のように外光が暗いときには発光強度が低くなるように制御する。
【００１９】
上記構成の計量機の給油量表示器では、表示器２１の表示素子４３として、高輝度ＬＥＤを使用しているため、寿命が長くなり保守作業を無くすことが可能になり、消費電力も小さくすることができる。また、給油する油種に対応した給油ノズル１８の表面を油種に対応して赤色、黄色あるいは緑色に着色し、この着色に対応した色に発色する高輝度ＬＥＤの発光素子４３を発光させているため、誤って油種を給油することによる混油を防止することができる。表示器２１の表示器本体３１の表示面は、角度調整操作部２３を操作することで、前後あるいは左右に傾斜させることができるため、給油場所に応じて見易くすることが可能になる。また、表示器２１には、発光素子４３の前面に光を拡散する拡散板４４が設けられているため、文字が連続した線状に表示され、フィルター４５により高輝度ＬＥＤから発光する赤色、黄色あるいは緑色の光を透過し易くすることで、見易くなり全体として視認性が向上する。さらに、外光の明るさを外光センサ２２により検知し、屋外で太陽光が当たっている場合等では発光素子４３の発光強度を高くし、夜間等のように外光が暗い場合では発光強度を低くしているため、視認性を高めて見易くできる。
【００２０】
図５は本発明第２実施形態の懸垂式の計量機を説明する斜視図である。
【００２１】
この第２実施形態の計量機５０は、例えば、レギュラーガソリン、ハイオクガソリンのいずれかの油種を給油する懸垂式の給油装置であり、給油所に設けられたキャノピイ５１から給油ホース処理ケース５２が吊り下げられ、この給油ホース処理ケース５２から一端部側が給油機構に連通され、端部側に給油ノズル５４が接続された給油ホース５３が給油エリア上に吊り下げられている。給油ノズル５４の表面は、上記の第１実施形態と同様に油種に対応させて着色されている。この計量機５０は、給油のために給油ノズル５４の近傍に設けられたノズルスイッチに対応するスイッチ部５８のスイッチ紐５９を引く等の操作をすることで給油ホース５３を降下させて給油作業を行い、給油終了時に同様のスイッチ部５８のスイッチボタン等の操作をすることで給油ノズル５４を上昇位置に戻すことができるようになっている。また、給油エリア近傍の壁面５５には、表示器５６が設けられ、この表示器５６の近傍に外光センサ５７が設けられている。この表示器５６は、第１実施形態と同様の高輝度ＬＥＤを使用した複数の発光素子をマトリックス状に配置したものであり、同様に拡散板やフィルタを設けたものである。さらに、第１実施形態と同様にノズルスイッチ、流量計及び外光センサ５７からの信号を制御装置が受信し、表示器５６の高輝度ＬＥＤからなる表示素子を発光させるようになっている。
【００２２】
上記構成の計量機の給油量表示器では、上記の第１実施形態と同様に、表示器５６の表示素子として、高輝度ＬＥＤを使用しているため、寿命が長くなり保守作業を無くすことが可能になり、消費電力も小さくすることができる。また、給油する油種に対応した給油ノズル５４の表面を油種に対応して着色し、この着色に対応した色に発色する高輝度ＬＥＤの発光素子を発光させているため、誤って油種を給油することによる混油を防止することができる。表示器５６には、発光素子の前面に拡散板光やフィルターが設けられているため、見易くなり全体として視認性が向上する。さらに、外光の明るさを外光センサ５７により検知し、屋外で太陽光が当たっている場合等では発光素子の発光強度を高くし、夜間等のように外光が暗い場合では発光強度を低くしているため、視認性を高めて見易くできる。
【００２３】
なお、上記の各実施形態において、表示器２１，５６は、高輝度ＬＥＤを使用した発光素子がマトリックス状に配置されたものであり、高輝度ＬＥＤは油種に対応して決めた発光色のものが好ましい。また、第１実施形態の地上固定式の計量機１０では、角度調整操作部２３により表示器３１の表示面を傾斜できるようにしているが、その傾斜手段に関しては一例であり実施形態に限定されず、給油位置によって見易い場合には省略することがでる。さらに、本発明の計量機は、実施形態のものに限定されず、任意の油種を給油できる地上固定式又は懸垂式の給油装置に適用できる。
【産業上の利用可能性】
【００２４】
給油所において自動車等に供給する燃料油の給油量を表示する計量機の給油量表示器に利用することができる。
【図面の簡単な説明】
【００２５】
【図１】本発明第１実施形態の計量機の正面図である。
【図２】本発明第１実施形態の計量機の表示器部分の斜視図である。
【図３】本発明第１実施形態の計量機の表示器本体の断面図である。
【図４】本発明第１実施形態の計量機の給油量表示器の動作を説明するブロック図である。
【図５】本発明第２実施形態の計量機を説明する斜視図である。
【符号の説明】
【００２６】
１０  計量機
１１  本体ケース
１２  ベースプレート
１３  機器ケース
１４  表示器ケース
１５  支柱
１６  頂部ケース
１７  給油ホース
１８  給油ノズル
１９  ノズル掛け
２０  ノズルスイッチ
２１  表示器
２２  外光センサ
２３  角度調整操作部
２４  設定操作部
２５  挿入口
２６  カードリーダー
２７  給油伝票の取出し口
２８  流量計
３０  制御装置
３１  表示器本体
３２  第１のブラケット
３３  第２のブラケット
３４  第１のモータ
３５  歯車
３６  歯車
３７  軸
３８  第２のモータ
３９  歯車
４０  歯車
４１  軸
４２  取付け基板
４３  発光素子
４４  拡散板
４５  フィルター
４６  第１の傾斜手段
４７  第２の傾斜手段
５０  計量機
５１  キャノピイ
５２  給油ホース処理ケース
５３  給油ホース
５４  給油ノズル
５５  壁面
５６  表示器
５７  外光センサ
【図１】
2006290377.tif 000003
【図２】
2006290377.tif 000004
【図３】
2006290377.tif 000005
【図４】
2006290377.tif 000006
【図５】
2006290377.tif 000007